(57)【要約】【課題】車内で複数の無線ヘッドホンを使用する際に、誤って他者の使用している無線ヘッドホンから出力するオーディオソースを操作することのない車載オーディオ装置を提供する。【解決手段】利用者が操作部２０ａを操作した際、車載機２００は、操作された操作部２０ａの設置されている座席（左席）に設置されたＲＦＩＤ読み書き部３０ａにより、通信可能範囲内にある無線ヘッドホン１００ａから識別情報を読み出す。読み出した識別情報に基づいて、対象座席に存在する無線ヘッドホン１００ａから出力するオーディオソースに対して、操作部２０ａで指示された操作に対応する制御を行う。【選択図】　図１
2004048601.tif 000002
【特許請求の範囲】
【請求項１】
車載機から複数の無線ヘッドホンに異なる送信チャネルでオーディオ信号を送信し、同時に異なるオーディオ信号を複数の無線ヘッドホンから出力可能な車載オーディオ装置において、
識別情報を記憶するメモリと、
車載機と前記識別情報の通信を行う通信部と、
前記車載機から送信されるオーディオ信号を受信する受信部と、
を有する無線ヘッドホンと、
前記無線ヘッドホンへオーディオ信号を送信する送信部と、
座席毎に設置され、所定通信範囲内に存在する前記無線ヘッドホンと通信を行う通信部と、
前記通信部の通信可能範囲内に、いずれの無線ヘッドホンが存在するかを検知する無線ヘッドホン位置検知部と、
座席毎に設置され、前記車載機への操作指示を行うための複数の操作部と、
前記操作部により前記車載機への操作指示がなされたときに、操作された操作部が設置された座席に存在する前記無線ヘッドホンから出力するオーディオソースに対して前記操作指示に応じた制御を行う制御部と、
を有する車載機と、
を備えることを特徴とする車載オーディオ装置。
【請求項２】
車載機から複数の無線ヘッドホンに異なる送信チャネルでオーディオ信号を送信し、同時に異なるオーディオ信号を複数のヘッドホンから出力可能な車載オーディオ装置において、
識別情報を記憶するメモリと、
前記車載機へ前記メモリに記憶された識別情報の送信を指示する指示ボタンと、
該指示ボタンが押されたときに、前記車載機に対して前記識別情報を送信する送信部と、
前記車載機から送信されるオーディオ信号を受信する受信部と、
を有する無線ヘッドホンと、
前記無線ヘッドホンへオーディオ信号を送信する送信部と、
前記無線ヘッドホンからの識別情報を受信すると共に、リモートコントローラからの操作信号を受信する受信部と、
前記無線ヘッドホンからの識別情報が受信されてから所定時間、前記リモートコントローラからの操作信号に対する応答を、前記識別情報を送信した前記無線ヘッドホンから出力するオーディオソースに対して行う制御部と、
を有する車載機と、
を備えることを特徴とする車載オーディオ装置。
【発明の詳細な説明】
【０００１】
【発明の属する技術分野】
本発明は車載オーディオ装置に係り、特に、複数の無線ヘッドホンに異なる送信チャネルでそれぞれオーディオ信号を送信し、同時に異なるオーディオ信号を複数のヘッドホンから出力する車載オーディオ装置に関する。
【０００２】
【従来の技術】
近年、車載オーディオ装置においては、ＣＤプレーヤ、ＭＤプレーヤ、ＤＶＤプレーヤ、ＦＭ／ＡＭラジオ、ディジタル放送受信機等の多くのオーディオ機器が搭載され、車内において様々なオーディオソースの再生を可能としているものがある。また、このようなシステムでは、車内に設置されたスピーカからオーディオ再生音を出力するのとは別に、車両の後部座席等に乗った人がヘッドホンを用いて車内のスピーカで再生するオーディオとは異なる好みのオーディオ再生を行うようことができるシステムも存在する。このようなシステムをリアエンターテイメントシステムと称し、各座席において異なるオーディオ再生をヘッドホンで各々が楽しめるようにしたシステムも増加している。リアエンターテイメントシステムでは、各座席に操作部が設けられ、各座席に乗った人が、好みのオーディオソースの選択操作やボリューム調整操作等を行うことが可能となっている。
【０００３】
【発明が解決しようとする課題】
ところで、上述のようなリアエンターテイメントシステムにおいて、無線ヘッドホンを用いたシステムとした場合、予め座席毎に使用するヘッドホンを識別可能にしておく必要がある。複数の無線ヘッドホンが車内に存在した場合、ヘッドホンがどの座席用のものか分かりにくかったりして、ヘッドホンを取り違えた場合には、気付かずに他者が使用しているヘッドホンから出力しているオーディオソースに対して操作をしてしまうことが考えられる。例えば、自身がヘッドホンで聴いているオーディオソースの音量を操作したつもりが、他者のオーディオソースのボリューム操作をしてしまうというおそれががあった。
【０００４】
また、リモートコントローラ（リモコン）により操作を行うことが可能なシステムでは、リモコンに切り換えスイッチを設けておき、どの座席のソースに対する操作であるかをスイッチを切り換えているものがあるが、切り換えスイッチの切り換えを忘れて操作してしまうと、他者のヘッドホンのソースを操作してしまうおそれがあった。各ヘッドホンと対にそれぞれリモコンを備えておけば各々が聴いているオーディオソースに対する操作を行うことが可能であるが、この場合であっても、誤ってリモコンが入れ替わってしまったときなどは、上述の問題と同様に他者の聴いているオーディオソースを誤って操作してしまうという問題がある。
【０００５】
以上から本発明の目的は、複数の無線ヘッドホンを使用する際にも、使い勝手のよい車載オーディオ装置を提供することである。
【０００６】
また、本発明の目的は、複数の無線ヘッドホンを使用する際に、他者が使用中のヘッドホンで出力中のオーディオソースを誤って操作することがない車載オーディオ装置を提供することである。
【０００７】
【課題を解決するための手段】
上記課題は本発明によれば、車載機から複数の無線ヘッドホンに異なる送信チャネルでオーディオ信号を送信し、同時に異なるオーディオ信号を複数の無線ヘッドホンから出力可能な車載オーディオ装置において、識別情報を記憶するメモリと、車載機と前記識別情報の通信を行う通信部と、前記車載機から送信されるオーディオ信号を受信する受信部と、を有する無線ヘッドホンと、前記無線ヘッドホンへオーディオ信号を送信する送信部と、座席毎に設置され、所定通信範囲内に存在する前記無線ヘッドホンと通信を行う通信部と、前記通信部の通信可能範囲内に、いずれの無線ヘッドホンが存在するかを検知する無線ヘッドホン位置検知部と、座席毎に設置され、前記車載機への操作指示を行うための複数の操作部と、前記操作部により前記車載機への操作指示がなされたときに、操作された操作部が設置された座席に存在する前記無線ヘッドホンから出力するオーディオソースに対して前記操作指示に応じた制御を行う制御部と、を有する車載機と、を備える車載オーディオ装置により達成される。
【０００８】
すなわち、無線ヘッドホンが存在する座席位置を検知し、座席毎に設置された操作部で操作された際に、操作された操作部が設置された座席に存在する無線ヘッドホンから出力しているオーディオソースに対して制御を行うことができる。
【０００９】
また、上記課題は本発明によれば、車載機から複数の無線ヘッドホンに異なる送信チャネルでオーディオ信号を送信し、同時に異なるオーディオ信号を複数のヘッドホンから出力可能な車載オーディオ装置において、識別情報を記憶するメモリと、前記車載機へ前記メモリに記憶された識別情報の送信を指示する指示ボタンと、該指示ボタンが押されたときに、前記車載機に対して前記識別情報を送信する送信部と、前記車載機から送信されるオーディオ信号を受信する受信部と、を有する無線ヘッドホンと、前記無線ヘッドホンへオーディオ信号を送信する送信部と、前記無線ヘッドホンからの識別情報を受信すると共に、リモートコントローラからの操作信号を受信する受信部と、前記無線ヘッドホンからの識別情報が受信されてから所定時間、前記リモートコントローラからの操作信号に対する応答を、前記識別情報を送信した前記無線ヘッドホンから出力するオーディオソースに対して行う制御部と、を有する車載機と、を備える車載オーディオ装置により達成される。
【００１０】
すなわち、無線ヘッドホンの識別情報送信ボタンが押されてから所定時間は、リモートコントローラからの操作指示信号に対する応答を識別情報送信ボタンの押された無線ヘッドホンから出力するオーディオソースに対して行うことができる。
【００１１】
【発明の実施の形態】
（ａ）第１の実施例
図１は本発明の第１実施例の概略説明図である。図１（ａ）は車内を上部から見た図であり、図１（ｂ）は後部座席を横から見た図である。図１において、１００は無線ヘッドホン、２０ａは左座席用操作部、２０ｂは右座席用操作部、３０ａは左座席用ＲＦＩＤ読み書き部、３０ｂは右座席用ＲＦＩＤ読み書き部である。また、点線で囲んだ範囲がそれぞれの席に設置されたＲＦＩＤ読み書き部３０ａ、３０ｂの通信可能範囲を示すものである。２００は車載機であり、各無線ヘッドホン１００に対してオーディオ信号を送信するアンテナを有している。
【００１２】
無線ヘッドホン１００には、図示しないＲＦＩＤ部が備えられており、ヘッドホンを識別するための識別情報を記憶しており、また、ＲＦＩＤ読み書き部３０ａ、３０ｂの通信可能範囲に存在するときにＲＦＩＤ読み書き部３０ａ、３０ｂにより無線ヘッドホン１００の識別情報を読み取り可能となっている。こうして、左右のどちらの座席にどの識別情報を有する無線ヘッドホン１００が存在しているかを検知する。
【００１３】
ＲＦＩＤ（ｒａｄｉｏ　ｆｒｅｑｕｅｎｃｙ　ｉｄｅｎｔｉｆｉｃａｔｉｏｎ）は、無線通信による非接触式の自動認識システムのことで、物品管理システム、入退室管理システム等数多くのシステムで利用されているものである。本発明では、このＲＦＩＤシステムを利用して、識別情報を記憶したＲＦＩＤタグを無線ヘッドホンに埋め込んでおき、各座席に設置されたＲＦＩＤ読み書き部によりどの席でどの無線ヘッドホンが使用されているのかを判別する。そして、各座席に備えられた操作部が操作された際に、自動的にその座席で使用されている無線ヘッドホンで出力するオーディオソースに対して操作指示された制御を行うものである。ＲＦＩＤには、電磁結合式、電磁誘導式、マイクロ波方式等があるが、本発明においては、通信可能距離が各座席の範囲程度（数十センチメートルから１メートル程度）のもので識別情報の読み書きが可能なものであれば、方式についてはどのような方式のＲＦＩＤであってもよい。通信可能距離の観点からいうと電磁誘導式のＲＦＩＤを使用するのが適している。
【００１４】
例えば、左座席に乗車している人が、無線ヘッドホン１００ａを使用している場合、左座席用ＲＦＩＤ読み書き部３０ａの通信可能範囲（左座席）にヘッドホン１００ａが存在することを検知する。車載機２００は操作部２０ａが操作された際には、左座席に存在する無線ヘッドホン１００ａから出力しているオーディオソースに対して操作指示に対応する制御を行う。
【００１５】
図２は、本発明の車載オーディオ装置における車載機の概略構成を示す図である。同図において、２０１は全体を制御するための制御部、２０２はオーディオ再生機器であり、ＣＤプレーヤ２０２ａ、ＭＤプレーヤ２０２ｂ、ＦＭ／ＡＭラジオ２０２ｃ、ＤＶＤプレーヤ２０２ｄを備えている。２０３、２０４は無線ヘッドホンへのオーディオ信号送信部であり、制御部２０１の制御に応じてそれぞれ異なるチャネルでオーディオ信号を変調して送信するものである。
【００１６】
制御部２０１は、操作部２０ａ、２０ｂからの利用者の操作指示に応じて、操作された操作部の設置座席に存在する無線ヘッドホンから出力するオーディオソースに対する制御を行う。オーディオ信号送信部２０３、２０４は、それぞれ異なる送信チャネルでオーディオ信号を送信するものであり、制御部２０１からの指示に応じて、無線ヘッドホン１００ａ、１００ｂで受信可能な送信チャネルでオーディオ信号を送信する。オーディオ信号送信部２０３、２０４は、送信チャネルを無線ヘッドホンの識別情報に対応して予め決めておくようにしてもよいが、無線ヘッドホンの位置が検知されたときに、ＲＦＩＤ読み書き部３０ａ、３０ｂにより対応する席に存在する無線ヘッドホン側の受信チャネルを切り換えるように制御してもよい。
【００１７】
また、一つのＲＦＩＤ読み書き部の通信可能範囲内に無線ヘッドホンが複数存在する場合には、操作部が操作された場合、両方の無線ヘッドホンに対して警告音を発するように制御してもよい。
【００１８】
図３は無線ヘッドホン１００の概略構成を示す図である。同図において、１０１は車載機から送信されるオーディオ信号を受信する受信部、１０２はアンプであり、受信したオーディオ信号を増幅してＬｃｈスピーカ１０３、Ｒｃｈスピーカ１０４から音声信号を出力させる。各座席に設置されたＲＦＩＤ読み書き部３０ａまたは３０ｂの通信可能範囲内に無線ヘッドホンが入った場合、ＲＦＩＤ読み書き部３０ａ、または、３０ｂとの通信が行われ、無線ヘッドホンの識別情報が車載機２００側に読み出される。車載機２００の制御部２０１は、各座席に設置された操作部が操作された際には、操作された操作部の座席に存在する無線ヘッドホンから出力中のオーディオソースに対する制御を行うことになる。
【００１９】
１０５は無線ヘッドホン全体を制御する制御部、１０６はヘッドホンの識別情報や受信チャネルを記憶するメモリ、１０７は車両の各座席毎に取り付けられたＲＦＩＤ読み書き部３０ａ、３０ｂとの通信を行うＲＦＩＤ通信部である。
【００２０】
制御部１０５は、メモリ１０６に記憶された識別情報をＲＦＩＤ通信部１０７を介して車載機側のＲＦＩＤ読み書き部３０への読み出し制御を行ったり、ＲＦＩＤ読み書き部３０からの書き込み指令に応じて受信チャネル情報をメモリ１０６に書き込んだりする。また、制御部１０５はメモリ１０６に書き込まれた受信チャネルを受信するように受信部１０１を制御し、利用者の所望のオーディオ再生信号を受信させて出力させる。
【００２１】
図４は本発明の第１実施例における動作フローを示す図である。
まず、利用者によりいずれかの操作部（左座席用操作部２０ａ、右座席用操作部２０ｂ）が操作されたか否かを判断し（ステップＳ１０１）、操作されない場合には操作されるまでステップＳ１０１を繰り返す。
【００２２】
ステップＳ１０１で利用者からの操作がされると、制御部２０１は、操作された操作部が設置された座席位置にどの無線ヘッドホンが存在するかを確認する（ステップＳ１０２）。具体的には、操作された操作部の座席位置に設置されているＲＦＩＤ読み書き部３０ａまたは３０ｂの通信範囲に存在する無線ヘッドホンの識別情報を読み出すことで、オーディオ出力対象の座席にある無線ヘッドホンを検知する。
【００２３】
次に、制御部２０１は、対象の座席に存在する無線ヘッドホンは一つであるか否かを判断する（ステップＳ１０３）。
【００２４】
ステップＳ１０３で、対象の座席に存在する無線ヘッドホンが一つであると判断された場合には、制御部２０１は、対象の座席に存在する無線ヘッドホンの受信チャネルを用いて操作対象のオーディオソースの再生オーディオ信号を送信させる（ステップＳ１０４）。
【００２５】
ステップＳ１０３で、対象の座席に複数の無線ヘッドホンが存在すると判断された場合には、図示しないディスプレイ画面に、対象座席に複数の無線ヘッドホンが存在するため、操作を受け付けない旨を表示するなどして、利用者にオーディオソースの指示操作制御の中止を報知する（ステップＳ１０５）。
【００２６】
以上のようにすれば、利用者が無線ヘッドホンを使用してオーディオ再生を楽しもうとした際に、複数の無線ヘッドホンから一つの無線ヘッドホンを使用して、座席に設置された操作部でオーディオソースの再生を指示するだけで、オーディオ再生及び操作を容易に行うことが可能となる。
【００２７】
（ｂ）第２の実施例
図５は本発明の第２実施例の概略説明図である。
第２実施例においては、一つ或いは同じ仕様の複数のリモートコントローラによってオーディオソースの操作指示が行われる車載オーディオ装置として説明する。
【００２８】
同図において、４００は車載機、５００ａ、５００ｂは無線ヘッドホン、６００はリモートコントローラである。４０１は車載機全体を制御する制御部、４０２は、ＣＤプレーヤ４０２ａ、ＭＤプレーヤ４０２ｂ、ＦＭ／ＡＭラジオ４０３、ＤＶＤプレーヤ４０４ｄ等を備えたオーディオ再生機器４０２である。４０３、４０４はオーディオ信号送信部であり、制御部４０１の制御によりオーディオ信号を変調して無線ヘッドホン５００ａ、５００ｂへそれぞれ異なる送信チャンネルを用いて送信するものである。４０５は受信部であり、リモートコントローラ６００からの操作コマンド信号を受信したり、無線ヘッドホン５００ａ、５００ｂからの識別情報を受信するものである。
【００２９】
図６は無線ヘッドホンの説明図である。無線ヘッドホン５００ａ、５００ｂは、それぞれ個別の識別情報を記憶するメモリ５０１と、この識別情報を車載機へ送信するための送信部５０２、識別情報の送信を指示するためのスイッチ５０３、車載機４００のオーディオ信号送信部４０３、４０４から送信されるオーディオ信号を受信するオーディオ信号受信部５０５を備えている。送信部５０２は、リモートコントローラ６００と同様に赤外線通信で識別情報を送信するものとし、車載機４００の受信部４０４では、無線ヘッドホン５００ａ、５００ｂからの識別情報およびリモートコントローラ６００からの操作コマンドを受信できるようになっている。
【００３０】
利用者は、自身の使用している無線ヘッドホンで出力するオーディオソースの操作を行う際には、まず、無線ヘッドホンに設けられた識別情報送信スイッチ５０３を押して、車載機に対してこれから操作する無線ヘッドホンの識別情報を送信する。その後、リモートコントローラ６００を操作して車載機に操作コマンドを送信する。
【００３１】
車載機の制御部４０１は、いずれかの無線ヘッドホンから識別情報を受信すると、図示しないタイマーを起動し、所定時間になるまでの間にリモートコントローラ６００から送信される操作コマンドを受信した場合に、識別情報を送信してきた無線ヘッドホンから出力するオーディオソースに対して操作コマンドに対応した制御を行う。また、識別情報が送られてきていないときにリモートコントローラ６００から操作コマンドを受信した場合、または、無線ヘッドホンからの識別情報を受信してから所定時間以上を経過後に、リモートコントローラから操作コマンドを受信した場合には、無線ヘッドホンの識別情報送信スイッチ４０３を押してからリモートコントローラ６００の操作を行うように、各無線ヘッドホンへ音声で出力させたり、各座席に設置されたディスプレイ装置等に表示させることで利用者へ案内する。
【００３２】
図７は、第２実施例における車載機の制御部の動作フローを示す図である。
まず、制御部４０１は、受信部４０５を介して無線ヘッドホン５００ａまたは５００ｂから識別情報（認識コード）を受信したか否かを判断し（ステップＳ２０１）、識別情報を受信した場合には図示しないタイマーをスタートする（ステップＳ２０２）。
【００３３】
次に、制御部４０１は、識別情報を受信してから所定時間（例えば５秒）が経過したか否かを判断し（ステップＳ２０３）、所定時間が経過していない場合には、リモートコントローラ６００から操作コマンドを受信したか否かを判断する（ステップＳ２０４）。ステップＳ２０４で、リモートコントローラ６００からの操作コマンドを受信しない場合にはステップＳ２０３に戻り処理を継続する。
【００３４】
ステップＳ２０４でリモートコントローラ６００からの操作コマンドを受信した場合には、制御部４０１は、ステップＳ２０１で受信した識別情報を持つ無線ヘッドホンから出力するオーディオソースに対してステップＳ２０４で受信した操作コマンドに対応する制御を行う（ステップＳ２０５）。
【００３５】
例えば、無線ヘッドホン５００ａの識別情報スイッチ５０３が押されて、識別情報が車載機４００に送信され受信部４０５で受信されると、その後所定時間内にリモートコントローラ６００から操作信号を受信した場合には、制御部４０１は、無線ヘッドホン５００ａから出力するオーディオソースに対して、操作指示コマンドを実行する制御を行う。
【００３６】
ステップＳ２０３で所定時間が経過後、またはステップＳ２０５で受信した操作コマンドに対する制御が終了すると、タイマーをリセットし（ステップＳ２０６）、ステップＳ２０１に戻って処理を継続する。
【００３７】
ステップＳ２０１で、無線ヘッドホンから識別情報（認識コード）を受信しない場合には、リモートコントローラ６００から操作コマンドを受信したか否かを判断し（ステップＳ２０７）、操作コマンドを受信しない場合にはステップＳ２０１に戻って処理を継続し、一方、リモートコントローラ６００から操作コマンドを受信した場合には、制御部４０１は図示しない各座席に設置されているディスプレイ装置に無線ヘッドホンのスイッチを押してからリモコン操作を行うように案内したり、各ヘッドホンへ音声信号で報知したりして（ステップＳ２０８）、その後、ステップＳ２０１に戻って処理を継続する。
【００３８】
以上のようにすることで、無線ヘッドホンのスイッチを押して識別情報を送信し、その後、所定時間内にリモートコントローラで操作を行うだけで、所望の無線ヘッドホンから出力するオーディオソースに対する操作を行うことができる。また、車内で複数の無線ヘッドホンを使用している場合であっても、他者が使用している無線ヘッドホンから出力中のオーディオソースに対して誤って操作を行うことを防止するできる。
【００３９】
なお、上記実施例の説明では、車内で使用される無線ヘッドホンの数を２つの場合として説明したが、ヘッドホンの数はこれ以上の数であっても本発明を適用できることは言うまでもない。
【００４０】
以上、本発明を実施例により説明したが、本発明は請求の範囲に記載した本発明の主旨に従い種々の変更が可能であり、本発明はこれを排除するものではない。
【００４１】
【発明の効果】
本発明によれば、無線ヘッドホンの個々に識別情報を記憶しておき、各座席に設置された操作部の操作に応じて、自動的にその席にある無線ヘッドホンから出力するオーディオソースに対して操作指示された制御を行うようにしたから、利用者が無線ヘッドホンを用いて、座席の操作部を操作しただけで容易に所望のオーディオソースに対する制御を行うことができる。また、誤って他者のヘッドホンから出力しているオーディオソースに対して操作を行わないようにすることができる。
【００４２】
さらに、本発明によれば、無線ヘッドホンから識別情報を受信してから所定時間内にリモートコントローラからの操作信号を受信したときに、識別情報を送信した無線ヘッドホンから出力するオーディオソースに対して操作指示された制御を行うようにしたから、他者のヘッドホンから出力しているオーディオソースに対して誤って操作を行わないようにすることができる。
【図面の簡単な説明】
【図１】本発明の第１実施例における概略説明図である。
【図２】本発明の第１実施例における車載機の要部構成を示す図である。
【図３】本発明の第１実施例における無線ヘッドホンの構成を示す図である。
【図４】本発明の第１実施例における動作フローを示す図である。
【図５】本発明の第２実施例の概略説明図である。
【図６】本発明の第２実施例の無線ヘッドホンの構成を示す図である。
【図７】本発明の第２実施例における動作フローを示す図である。
【符号の説明】
２０ａ・・・左席用操作部
２０ｂ・・・右席用操作部
３０ａ・・・左席用ＲＦＩＤ読み書き部
３０ｂ・・・右席用ＲＦＩＤ読み書き部
１００ａ、１００ｂ・・・無線ヘッドホン
２００・・・車載機
【図１】
2004048601.tif 000003
【図２】
2004048601.tif 000004
【図３】
2004048601.tif 000005
【図４】
2004048601.tif 000006
【図５】
2004048601.tif 000007
【図６】
2004048601.tif 000008
【図７】
2004048601.tif 000009